(57)【特許請求の範囲】
【請求項１】
制御信号受信装置に付属されている遠隔制御ユニットからの制御信号を、該制御信号受信装置に接続されたデータ受信装置を介して受信可能な制御信号受信装置において、
前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、
前記コマンド判別部に前記第二の受信コマンド、前記第一の受信コマンドの順で受信コマンドが入力されるよう前記第一の受信コマンドを遅延させる遅延部とを備え、
前記コマンド判別部は、前記第一の受信コマンドより先に該コマンド判別部に入力される前記第二の受信コマンドをそのまま通過させるとともに、前記遅延部により遅延されて前記第二の受信コマンドより後に該コマンド判別部に入力される前記第一の受信コマンドをマスクするものであり、
前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下である、
ことを特徴とする制御信号受信装置。
【請求項２】
請求項１に記載の制御信号受信装置において、
前記コマンド判別部は、前記第二の受信コマンドが入力されなかった場合、前記遅延部を介して入力された前記第一の受信コマンドをそのまま通過させる、
ことを特徴とする制御信号受信装置。
【請求項３】
制御信号受信装置に付属されている遠隔制御ユニットからの制御信号を、該制御信号受信装置に接続されたデータ受信装置を介して受信可能な制御信号受信装置において、
前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、
該制御信号受信装置と前記データ受信装置との前記制御信号の伝送が可能であることを示す接続信号を検出する接続信号検出部と、
前記コマンド判別部に前記第二の受信コマンド、前記第一の受信コマンドの順で受信コマンドが入力されるよう前記第一の受信コマンドを遅延させる遅延部とを備え、
前記コマンド判別部は、
前記接続信号検出部にて前記接続信号が検出されないとき、前記第一の受信コマンドが前記遅延部を介さずに入力されるとともに、該入力した第一の受信コマンドをそのまま通過させ、
前記接続信号検出部にて前記接続信号が検出されたとき、前記第一の受信コマンドより先に該コマンド判別部に入力される前記第二の受信コマンドをそのまま通過させ、前記遅延部により遅延されて前記第二の受信コマンドより後に該コマンド判別部に入力される前記第一の受信コマンドをマスクするものであり、
前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下である、
ことを特徴とする制御信号受信装置。
【請求項４】
請求項３に記載の制御信号受信装置において、
前記コマンド判別部は、前記接続信号検出部にて前記接続信号が検出され、かつ、前記第二の受信コマンドが入力されなかった場合、前記遅延部を介して入力された前記第一の受信コマンドをそのまま通過させる、
ことを特徴とする制御信号受信装置。
【発明の詳細な説明】
【技術分野】
【０００１】
本発明は制御信号受信装置に関するものであり、特に当該制御信号受信装置に付属されている遠隔制御ユニットによる当該制御信号受信装置の制御信号を、該制御信号受信装置に接続されたデータ受信装置を介して受信可能な制御信号受信装置に関するものである。
【背景技術】
【０００２】
近年、有線、または無線ＬＡＮ等の規格やデバイスの充実に伴って、テレビやビデオの映像をデジタル圧縮して送り出すＡＶ（Audio Video）送信機と、家庭内の別の部屋で受信できるＡＶ受信機とがセットになったネットワークＡＶ伝送システムが提案されている（例えば、特許文献１）。
【０００３】
図１１は、有線を用いた従来のネットワークＡＶ伝送システム１０を示す図である。
図において、ＡＶ（Audio  Video）を送信するＤＶＤ装置１１とＡＶを受信する映像信号受信装置１２とは、デジタル映像伝送技術であるＴＭＤＳ（Transition Minimized Differential Signaling）ベースで構築されたディスプレイ接続技術のＤＶＩ（Digital Visual Interface）を民生機器向けに仕様を拡張したインターフェースであるＨＤＭＩ（High-Definition Multimedia Interface）１３を介して接続されており、接続された機器の制御を行うＣＥＣ（Consumer Electronics Control）ライン１３ａがある。また、ＤＶＤ装置１１にはリモコン１４が付属されている。
【０００４】
また、図において、ネットワークＡＶ伝送システム１０における映像信号受信装置１２は、ＤＶＤ装置１１用のリモコン１４から送信される遠隔制御信号の受信機も兼ねており、リモコン１４から映像音声受信装置１２へ送信された制御コード（遠隔制御信号）が、リモコンコマンド変換テーブル１６、及びＣＥＣコマンド多重／送信部１７にてそのコード形態を維持しつつ伝送可能な信号に変換され、ＣＥＣライン１３ａを介してＤＶＤ装置１１に送信される。そして、ＣＥＣライン１３ａを介して送信される制御コードに対応した制御信号は、ＤＶＤ装置１１に受信され、ＣＥＣコマンド受信／分離部１８、及びＣＥＣコマンド変換テーブルを介して入力した制御信号によりＤＶＤ装置１１が制御され、その制御信号に応じて通信路を介して映像及び／または音声データが映像音声受信装置１２に送信される。すなわち、ＣＥＣライン１３ａを用いることにより、ＤＶＤ装置１１用のリモコン（遠隔制御ユニット）１４を用いて映像音声受信装置１２を介してＤＶＤ装置１１を動作させることが可能となる。
【０００５】
このように、ＤＶＤ装置１１に付属しているリモコン１４から遠隔制御信号を映像音声受信装置１２に向かって送信すれば、映像音声受信装置１２を介してＤＶＤ装置１１の制御を行うことが可能になる。すなわち、ＤＶＤ装置は、リモコン１４からの制御信号、及び／または映像音声受信装置１２からの制御信号を受信する制御信号受信装置として動作し、受信した制御信号に基づいて、データ受信装置である映像音声受信装置１２にデータを送信する。
【特許文献１】特開２００３−２１９４８６号公報
【発明の開示】
【発明が解決しようとする課題】
【０００６】
しかし、映像音声受信装置１２とＤＶＤ装置１１とが近いところにあると、ＤＶＤ装置用のリモコン１４を映像音声受信装置１２のリモコン受光部１５に向かって操作したつもりが、同時にＤＶＤ装置１２のリモコン受光部２０にも制御信号が受光されてしまう。したがって、例えば、電源ボタン等のトグル動作コマンドの場合には、ＤＶＤ装置１１のリモコン受光部２０からの受信（以下、第一の受信コマンド２０ａとする）と、映像音声受信装置１２からＣＥＣライン１３ａを経由した受信（以下、第二の受信コマンド１８ａとする）との２つのパスを経由して同じコマンドがＤＶＤ装置１１に入力され、電源のＯＮ／ＯＦＦ等を繰り返すチャタリングが発生する。また、チャンネルのＵＰ／ＤＯＷＮ操作においても、一回のボタン操作で複数のチャンネル分ＵＰまたはＤＯＷＮする問題があった。
【０００７】
以上のようなチャタリングの発生を防ぐために、前記第一の受信コマンド２０ａ及び第二の受信コマンド１８ａが近接して受信された場合、いずれか一方を選択し、もう一方の受信コマンドを無効にする必要がある。
【０００８】
また、前記第一の受信コマンド２０ａと前記第二の受信コマンド１８ａとが同一のコマンドとしてＤＶＤ装置１１に受信される場合、通常、リモコン１４から直接受信する第一の受信コマンド２０ａが先に受信され、映像音声受信装置１２及びＣＥＣラインを経由する第二の受信コマンド１８ａが後に受信されるものと考えられる。
【０００９】
しかしながら、映像音声受信装置１２及びＣＥＣラインを経由する第二の受信コマンド１８ａでは、伝送経路でリモコンコマンド以外の他の制御信号が関連付けられている可能性が考えらる。そのため、先に受信した第一の受信コマンド２０ａを選択し、後に受信した第二の受信コマンド１８ａを無視すると機器に悪影響を与え、誤動作を生じる可能性がある。例えば、以下のような例が考えられる。
【００１０】
ＤＶＤ装置１１がＨＤＤ内蔵のＤＶＤ装置である場合に、例えば、電源オン状態でＨＤＤ（空き容量が無い状態）にＨＤＤ−ＲＥＣコマンドが送信されたとする。
【００１１】
この場合に、まず、ＤＶＤ装置１１に送信された第一の受信コマンドを２０ａを選択し、第二の受信コマンド１８ａを無効にすると、第一の受信コマンドによりＨＤＤに記録しようとするが、ＨＤＤの空き容量が無いのでＲＥＣ停止して処理が終了する。
【００１２】
一方で第二の受信コマンド１８ａを選択し、第一の受信コマンド２０ａを無効にすると、第二の受信コマンド１８ａにより、映像音声受信装置１２からＨＤＤ内蔵ＤＶＤ装置１１にＨＤＤ−ＲＥＣコマンドを送信する。このときには、ＣＥＣライン１３ａ経由でＲＥＣoffステータスを確認することができ、ＨＤＤ−ＲＥＣコマンドと関連付けて、ＤＶＤ−ＲＥＣコマンドを送信することができる。これにより、第二の受信コマンド１８ａを有効とした場合、映像音声受信装置は、まず、ＨＤＤへＲＥＣコマンドを送信した後、ＨＤＤに空き容量が無いのでコマンドを受け付けなかった（ＲＥＣ停止して終了）ことをＣＥＣライン１３ａ経由で知ることができ、その後、ＤＶＤ装置に装着されている記録メディア（ＤＶＤ）へのＲＥＣコマンドを送信することができる。そしてＤＶＤに空き容量があれば記録動作を行う。これにより、録画のし損じを防ぐことができる。また、ＤＶＤに空き容量がない場合は、ＲＥＣ不可のＯＳＤ表示も可能である。
【００１３】
このように、不用意に第二の受信コマンド１８ａを無視すると機器に悪影響を与え、誤動作を生じる可能性があるという問題があり、また、第二の受信コマンド１８ａを無視させるには制御タイミングが複雑になり、複雑な回路構成を要するという問題があった。
【００１４】
本発明は前記課題を解決するために為されたものであり、当該制御信号受信装置に付属されている遠隔制御ユニットによる制御信号を、該制御信号受信装置に接続されたデータ受信装置を介して受信可能な制御信号受信装置において、機器への悪影響を生じることなく、正常にリモコン操作を行うことのできる制御信号受信装置を提供することを目的とする。
【課題を解決するための手段】
【００１５】
上記問題を解決するために、本発明の請求項１に係る制御信号受信装置は、制御信号受信装置に付属されている遠隔制御ユニットからの制御信号を、該制御信号受信装置に接続されたデータ受信装置を介して受信可能な制御信号受信装置において、前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、前記コマンド判別部に前記第二の受信コマンド、前記第一の受信コマンドの順で受信コマンドが入力されるよう前記第一の受信コマンドを遅延させる遅延部とを備え、前記コマンド判別部は、前記第一の受信コマンドより先に該コマンド判別部に入力される前記第二の受信コマンドをそのまま通過させるとともに、前記遅延部により遅延されて前記第二の受信コマンドより後に該コマンド判別部に入力される前記第一の受信コマンドをマスクするものであり、前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下であることを特徴とするものである。
【００２０】
また、本発明の請求項２に係る制御信号受信装置は、請求項１に記載の制御信号受信装置において、前記コマンド判別部は、前記第二の受信コマンドが入力されなかった場合、前記遅延部を介して入力された前記第一の受信コマンドをそのまま通過させることを特徴とするものである。
【００２１】
また、本発明の請求項３に係る制御信号受信装置は、制御信号受信装置に付属されている遠隔制御ユニットからの制御信号を、該制御信号受信装置に接続されたデータ受信装置を介して受信可能な制御信号受信装置において、前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、該制御信号受信装置と前記データ受信装置との前記制御信号の伝送が可能であることを示す接続信号を検出する接続信号検出部と、前記コマンド判別部に前記第二の受信コマンド、前記第一の受信コマンドの順で受信コマンドが入力されるよう前記第一の受信コマンドを遅延させる遅延部とを備え、前記コマンド判別部は、前記接続信号検出部にて前記接続信号が検出されないとき、前記第一の受信コマンドが前記遅延部を介さずに入力されるとともに、該入力した第一の受信コマンドをそのまま通過させ、前記接続信号検出部にて前記接続信号が検出されたとき、前記第一の受信コマンドより先に該コマンド判別部に入力される前記第二の受信コマンドをそのまま通過させ、前記遅延部により遅延されて前記第二の受信コマンドより後に該コマンド判別部に入力される前記第一の受信コマンドをマスクするものであり、前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下であることを特徴とするものである。
【００２２】
また、本発明の請求項４に係る制御信号受信装置は、請求項３に記載の制御信号受信装置において、前記コマンド判別部は、前記接続信号検出部にて前記接続信号が検出され、かつ、前記第二の受信コマンドが入力されなかった場合、前記遅延部を介して入力された前記第一の受信コマンドをそのまま通過させることを特徴とするものである。
【発明の効果】
【００２５】
以上のように、本発明の請求項１に係る制御信号受信装置によれば、制御信号受信装置に付属されている遠隔制御ユニットからの制御信号を、該制御信号受信装置に接続されたデータ受信装置を介して受信可能な制御信号受信装置において、前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、前記コマンド判別部に前記第二の受信コマンド、前記第一の受信コマンドの順で受信コマンドが入力されるよう前記第一の受信コマンドを遅延させる遅延部とを備え、前記コマンド判別部は、前記第一の受信コマンドより先に該コマンド判別部に入力される前記第二の受信コマンドをそのまま通過させるとともに、前記遅延部により遅延されて前記第二の受信コマンドより後に該コマンド判別部に入力される前記第一の受信コマンドをマスクするものであり、前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下であるものとしたので、当該制御信号受信装置及びデータ受信装置の両方に制御信号が受信されても、機器の制御信号が伝送されるパスを経由する第二の受信コマンドをマスクしてしまうことによる機器への悪影響を生じることなく正常なコマンド出力が可能になり、正常なリモコン操作を行うことができる効果がある。
【００３０】
また、本発明の請求項２に係る制御信号受信装置によれば、請求項１に記載の制御信号受信装置において、前記コマンド判別部は、前記第二の受信コマンドが入力されなかった場合、前記遅延部を介して入力された前記第一の受信コマンドをそのまま通過させるので、第一の受信コマンドのみのコマンド受信であっても、該コマンドを出力することができる効果がある。
【００３１】
また、本発明の請求項３に係る制御信号受信装置によれば、制御信号受信装置に付属されている遠隔制御ユニットからの制御信号を、該制御信号受信装置に接続されたデータ受信装置を介して受信可能な制御信号受信装置において、前記遠隔制御ユニットから直接受信されたコマンドである第一の受信コマンドと、前記データ受信装置を介して受信されたコマンドである第二の受信コマンドとを入力し、有効とするコマンドを判別して選択的にコマンドを出力するコマンド判別部と、該制御信号受信装置と前記データ受信装置との前記制御信号の伝送が可能であることを示す接続信号を検出する接続信号検出部と、前記コマンド判別部に前記第二の受信コマンド、前記第一の受信コマンドの順で受信コマンドが入力されるよう前記第一の受信コマンドを遅延させる遅延部とを備え、前記コマンド判別部は、前記接続信号検出部にて前記接続信号が検出されないとき、前記第一の受信コマンドが前記遅延部を介さずに入力されるとともに、該入力した第一の受信コマンドをそのまま通過させ、前記接続信号検出部にて前記接続信号が検出されたとき、前記第一の受信コマンドより先に該コマンド判別部に入力される前記第二の受信コマンドをそのまま通過させ、前記遅延部により遅延されて前記第二の受信コマンドより後に該コマンド判別部に入力される前記第一の受信コマンドをマスクするものであり、前記遅延部により遅延される第一の受信コマンドの遅延量は、該第一の受信コマンドが前記遅延部を介さずに前記コマンド判別部に入力される時間と前記第二の受信コマンドが前記コマンド判別部に入力される時間との時間差以上で、かつ前記遅延部を介さずに第一の受信コマンドが入力されてから次のコマンドが入力されるまでの最短時間以下であるものとしたので、当該制御信号受信装置及びデータ受信装置の両方に制御信号が受信されても、機器の制御信号が伝送されるパスを経由する第二の受信コマンドをマスクしてしまうことによる機器への悪影響を生じることなく、正常にリモコン操作を行うことのできる制御信号受信装置を提供することができる効果がある。
【００３２】
また、データ受信装置と接続されていないとき、遅延なくリモコン操作を行うことができる効果がある。
【００３３】
また、本発明の請求項４に係る制御信号受信装置によれば、請求項３に記載の制御信号受信装置において、前記コマンド判別部は、前記接続信号検出部にて前記接続信号が検出され、かつ、前記第二の受信コマンドが入力されなかった場合、前記遅延部を介して入力された前記第一の受信コマンドをそのまま通過させるので、第一の受信コマンドのみのコマンド受信であっても、該コマンドを出力することができる効果がある。
【発明を実施するための最良の形態】
【００３６】
（実施の形態１）
以下、本発明の実施の形態１に係る制御信号受信装置を図１、及び図２、及び図３を用いて説明する。
【００３７】
図１は、本発明の実施の形態１に係る制御信号受信装置を用いたネットワークＡＶ伝送システム１００の構成を示す図である。
【００３８】
図において、１０１は本発明の実施の形態１に係る制御信号受信装置であるＤＶＤ装置、１０２はＤＶＤ装置１０１からの映像音声信号を受信するデータ受信装置である映像音声受信装置、１０３は、ＤＶＤ装置１０１に付属され、ＤＶＤ装置１０１を動作させるために赤外線によるコマンド（制御信号）を送信するＤＶＤリモコン（遠隔制御ユニット）である。
【００３９】
本実施の形態１において、ＤＶＤ装置１０１と映像音声受信装置１０２とは、デジタル映像伝送技術であるＴＭＤＳ（Transition Minimized Differential Signaling）ベースで構築されたディスプレイ接続技術のＤＶＩ（Digital Visual Interface）を民生機器向けに仕様を拡張したインターフェースであるＨＤＭＩ（High-Definition Multimedia Interface）１０４を介して接続されており、接続された機器の制御を行うＣＥＣ（Consumer Electronics Control）ライン１０４ａがある。すなわち、それを用いれば、映像音声受信装置１０２に向かってＤＶＤリモコン１０３を操作したとき、リモコンコマンドをＤＶＤ装置１０１に転送（コマンドパススルー）することができる。
【００４０】
ＤＶＤ装置１０１は、ＤＶＤリモコン１０３からのコマンドを受光する受光部１０５と、装置全体を制御するマイコン１０６とを有しており、映像音声受信装置１０２は、ＤＶＤリモコン１０３からのコマンドを受光可能とする受光部１０７と、装置全体を制御するマイコン１０８とを有する。映像音声受信装置１０２のマイコン１０８は、受光したＤＶＤリモコン１０３からのコマンドを前記ＣＥＣライン１０４ａに伝送させるためにＣＥＣコマンドに変換するリモコンコマンド変換テーブル１０９と、リモコンコマンド変換テーブル１０９で変換したＣＥＣコマンド、及びその他の制御コマンドを多重させてＤＶＤ装置１０１に送信するＣＥＣコマンド多重／送信部１１０とを有している。
【００４１】
一方、ＤＶＤ装置１０１のマイコン１０６は、映像音声受信装置１０２からＣＥＣライン経由で転送されたコマンドを受信してＣＥＣコマンドを分離させるＣＥＣコマンド受信／分離部１１１と、ＣＥＣコマンドからリモコンコマンドに変換するＣＥＣコマンド変換テーブル１１２と、制御信号の映像音声受信装置１０２とＤＶＤ装置１０１との伝送が可能になった、すなわち、Ｈｉｇｈの状態が、制御信号の伝送が可能であることを示すＨＰＤ（Hot Plug Detect）１０４ｂを検出するＨＰＤ検出部１１４と、ＤＶＤリモコン１０３から受光部１０５で直接受信したコマンド（以下第一の受信コマンドとする）１０５ａと、映像音声受信装置１０２及びＣＥＣライン１０４ａを経由して受信したコマンド（以下第二の受信コマンドとする）１１２ａとを入力とし、有効とするコマンドを判別して選択的にコマンドを出力するコマンド判別部１１５とを有している。
【００４２】
コマンド判別部１１５は、ＨＰＤ検出部１１４からのＨＰＤ検出信号１１４ａを受けたとき、該コマンド判別部１１５に入力される第一の受信コマンド１０５ａをマスクし、該コマンド判別部１１５に入力される第二の受信コマンド１１２ａをそのまま通過させる。
【００４３】
次に、本発明の実施の形態１に係る制御信号受信装置を用いたネットワークＡＶ伝送システム１００で行われるコマンド判別動作を、図１、図２、及び図３を用いて説明する。
【００４４】
図２は、本実施の形態１の制御信号受信装置におけるコマンド判別部１１５の第一の受信コマンドのマスク設定・解除のタイムチャートの一例を示す。
【００４５】
図において、第一の受信コマンド１０５ａは１５ｍｓｅｃ程度の通信時間を要するものとし、一方第二の受信コマンド１１２ａは他の機器制御コマンドと関連付けた上で送信されるので５０ｍｓｅｃ程度の通信時間を要するものとする。また、コマンド判別部１１５において、第二の受信コマンド１１２ａが入力される時間と第一の受信コマンド１０５ａが入力される時間との時間差は、１ｍｓｅｃ以内とする。
【００４６】
例えば、コマンド判別部１１５において、第一の受信コマンド１０５ａが入力されてから次のコマンドが入力されるまでの最短時間を１００ｍｓｅｃとした場合、ＨＰＤが検出されていれば、Ａの期間内にコマンド判別部１１５に入力した第一の受信コマンド１０５ａはマスクされる。そして、Ｂの期間において、コマンド判別部１１５は、第一の受信コマンド１０５ａを入力し、かつ、第二の受信コマンド１１２ａを入力していない状態であれば第一の受信コマンド１０５ａのマスクを解除して第一の受信コマンド１０５ａを出力する。
【００４７】
図３は、本発明の実施の形態１に係る制御信号受信装置のコマンド判別動作を示すフローチャートである。
【００４８】
まず、ＤＶＤ装置１０１と映像音声受信装置１０２とを機械的に接続し、両装置の主電源をＯＮにすると、該両装置間での制御信号の伝送が可能になったことを示すＨＰＤ信号１０４ｂが出力され、該ＨＰＤ信号１０４ｂがＨＰＤ検出部１１４で検出される（ステップＳ２０１）。次に操作者がＤＶＤ装置１０１に付属するＤＶＤリモコン１０３を、例えば、映像音声受信装置１０２に向けてその電源ボタン１０３ａを押すと、リモコン信号１０３Ａが映像音声受信装置１０２に向けて発せられるとともに、上記リモコン信号１０３Ａは映像音声受信装置１０２の受光部１０７により受光され、その制御信号１０７ａはリモコンコマンド変換テーブル１０９、ＣＥＣコマンド多重／送信部１１０を経てＣＥＣライン１０４ａを介して該映像音声受信装置１０２より出力されて、これはＤＶＤ装置１０１に受信され、該ＤＶＤ装置１０１内のＣＥＣコマンド受信／分離部１１１、ＣＥＣコマンド変換テーブル１１２を経て、第二の受信コマンド１１２ａに変換されコマンド判別部１１５に入力される。ＤＶＤリモコン１０３においては、該リモコン信号には赤外線を用いているので、リモコン信号１０３Ａと同じコマンドのリモコン信号１０３ＢがＤＶＤ装置１０１に向けても発せられることとなる。すると、該リモコン信号１０３Ｂはまず、ＤＶＤ装置１０１の受光部１０５により受光され、その第一の受信コマンド１０５ａはコマンド判別部１１５に入力される。
【００４９】
コマンド判別部１１５は、前述のようにステップＳ２０１でＨＰＤが検出され、第一の受信コマンド１０５ａが受信される（ステップＳ２０２）と、ＨＰＤ検出部１１４からの検出信号１１４ａを受けて、入力した第一の受信コマンド１０５ａをマスクする（ステップＳ２０３）。そして、前述したように、第二の受信コマンド１１２ａが受信されたとき（ステップＳ２０４）、コマンド判別部１１５は入力した第二の受信コマンドをそのまま通過させ、第二の受信コマンドを出力する（ステップＳ２０５）。
【００５０】
一方、前記ステップＳ２０２において、例えば、ＤＶＤリモコン１０３の操作時に遮蔽体等の存在により、リモコン信号１０３ＢがＤＶＤ装置１０１に受信されなかった場合には、ＤＶＤ装置１０１には第二の受信コマンドのみの受信となり（ステップＳ２０４）、コマンド判別部１１５は該入力した第二の受信コマンド１１２ａをそのまま通過させ、第二の受信コマンド１１２ａを出力する（ステップＳ２０５）。
【００５１】
また、前記ステップＳ２０２において、例えば、ＤＶＤリモコン１０３の操作時に遮蔽体等の存在により、リモコン信号１０３Ａが映像音声受信装置１０２に受信されなかった場合には、ＤＶＤ装置１０１には第一の受信コマンドのみの受信となり、コマンド判別部１１５はステップＳ２０３で第一の受信コマンドをマスク後、ステップＳ２０４にて一定の時間経過しても第二の受信コマンドが入力されないとき、第一の受信コマンドのマスクを解除し（ステップＳ２０８）、第一の受信コマンドを出力する（ステップＳ２０９）。
【００５２】
ここで、第一の受信コマンドをマスクしてから第一の受信コマンドのマスクを解除するまでの一定の時間は、コマンド判別部に第一の受信コマンドが入力される時間と、該コマンド判別部に第二の受信コマンドが入力される時間との最長の時間差とするとよい。すなわち、図２において、第一の受信コマンドをマスクしてから前記最長の時間差であるＡの期間が経過しても第二の受信コマンドが入力されないとき、Ｂの期間で第一の受信コマンドのマスクを解除するようにすればよい。
【００５３】
また、前記ステップＳ２０１において、例えば、ＤＶＤ装置単体での使用やＤＶＤ装置１０１とＨＤＭＩインターフェースを有していない他のディスプレイ装置との使用等によりＨＰＤ検出信号１０４ｂが検出されなかった場合には、第二の受信コマンド１１２ａはＤＶＤ装置１０１に受信されないので、第一の受信コマンド１０５ａを受信すると（ステップＳ２０６）、コマンド判別部１１５は入力した第一の受信コマンド１０５ａをそのまま通過させ、第一の受信コマンド１０５ａを出力する（ステップＳ２０７）。
【００５４】
以上のような実施の形態１に係る制御信号受信装置は、制御信号の映像音声受信装置１０２とＤＶＤ装置１０１との間での伝送が可能であることを示すＨＰＤを検出するＨＰＤ検出部１１４を備え、ＨＰＤ検出信号１１４ａを受けたコマンド判別部１１５は、第一の受信コマンドをマスクし、第二の受信コマンドをそのまま通過させるようにしたので、機器の制御信号が伝送されるＣＥＣラインを経由する第二の受信コマンドをマスクしてしまうことによる機器への悪影響を生じることなく、正常なリモコン操作を行うことのできる制御信号受信装置を提供することができる。
【００５５】
（実施の形態２）
本発明の実施の形態２に係る制御信号受信装置は、第二の受信コマンドがマスクされることを防ぎ、機器に悪影響を与えることなく、正常なリモコン操作を行うことができ、さらに、制御信号の映像音声受信装置と制御信号受信装置との伝送が可能な状態で、第一の受信コマンドのみを受信した場合においても、該第一の受信コマンドを出力することのできる制御信号受信装置を提供するために、遅延部によって第一の受信コマンドを遅延させ、コマンド判別部に入力された第二の受信コマンドを有効とするとともに、遅延部によって遅延されてコマンド判別部に入力された該第一の受信コマンドをマスクし、また、第二の受信コマンドが受信されないときは、該遅延させた第一の受信コマンドを有効とするようにしたものである。
【００５６】
以下、本発明の実施の形態２に係る制御信号受信装置を図４、図５、及び図６を用いて説明する。実施の形態１と同様の部分は説明を省略し、異なる部分のみ説明を行う。
【００５７】
図４は本発明の実施の形態２に係る制御信号受信装置を用いたネットワークＡＶ伝送システム３００の構成を示す図である。
【００５８】
図において、ＤＶＤ装置３０１は、第一の受信コマンド３０５ａを一定の時間遅延させる遅延部３１６と、遅延部３１６を介した第一の受信コマンド３０５ａと第二の受信コマンド３１２ａとを入力し、有効とするコマンドを判別して選択的にコマンドを出力するコマンド判別部３１５とを有している。
【００５９】
コマンド判別部３１５は、第一の受信コマンド３０５ａと第二の受信コマンド３１２ａとが時間的に近接して入力されたとき、該コマンド判別部３１５に入力した第二の受信コマンド３１２ａをそのまま通過させ、前記遅延部３１６により遅延されて該コマンド判別部３１５に入力される第一の受信コマンド３０５ａをマスクする。また、コマンド判別部３１５は、第二の受信コマンド３１２ａが入力されずに、遅延部３１６により遅延された第一の受信コマンド３０５ａが入力された場合、該第一の受信コマンド３０５ａをそのまま通過させる。
【００６０】
次に、本発明の実施の形態２に係る制御信号受信装置を用いたネットワークＡＶ伝送システム３００で行われるコマンド判別動作を図４、図５、及び図６を用いて説明する。
【００６１】
図５は、本実施の形態２の制御信号受信装置におけるコマンド判別部３１５の第一の受信コマンドのマスク設定・解除のタイムチャートの一例を示す図である。
【００６２】
図において、図２のタイムチャートと同様、第一の受信コマンドを１５ｍｓｅｃ程度の通信時間を要するものとし、第二の受信コマンドを５０ｍｓｅｃ程度の通信時間を要するものとする。また、コマンド判別部３１５において、第二の受信コマンド３１２ａが入力される時間と遅延部３１６を介さない場合の第一の受信コマンド３０５ａが入力される時間との時間差は、１ｍｓｅｃ以内とする。
【００６３】
この場合、遅延時間を、コマンド判別部３１５において、遅延部３１６を介さない場合の第一の受信コマンド３０５ａが入力される時間と第二の受信コマンド３１２ａが入力される時間との時間差以上である１ｍｓｅｃ以上で、遅延部３１６を介さない場合の第一の受信コマンド３０５ａが入力されてから次のコマンドが入力されるまでの最短時間である１００ｍｓｅｃ以下とすればよい。なお、本図面においては遅延時間を８０ｍｓｅｃとした例を示している。
【００６４】
図６は、本発明の実施の形態２に係る制御信号受信装置のコマンド判別動作を示すフローチャートである。
【００６５】
まず、ＤＶＤ装置３０１と映像音声受信装置１０２とを機械的に接続し、両装置の主電源をＯＮにする。次に操作者がＤＶＤ装置３０１に付属するＤＶＤリモコン３０３を、例えば、映像音声受信装置１０２に向けてその電源ボタン３０３ａを押すと、リモコン信号３０３Ａが映像音声受信装置１０２に向けて発せられるとともに、上記リモコン信号３０３Ａは映像音声受信装置１０２の受光部１０７により受光され、その制御信号１０７ａはリモコンコマンド変換テーブル１０９、ＣＥＣコマンド多重／送信部１１０を経てＣＥＣライン１０４ａを介して該映像音声受信装置１０２より出力されて、これはＤＶＤ装置３０１に受信され、該ＤＶＤ装置３０１内のＣＥＣコマンド受信／分離部３１１、ＣＥＣコマンド変換テーブル３１２を経て、第二の受信コマンド３１２ａに変換されコマンド判別部３１５に入力される。ＤＶＤリモコン３０３においては、該リモコン信号には赤外線を用いているので、リモコン信号３０３Ａと同じコマンドのリモコン信号３０３ＢがＤＶＤ装置３０１に向けても発せられることとなる。すると、該リモコン信号３０３Ｂはまず、ＤＶＤ装置３０１の受光部３０５により受光され（ステップＳ４０１）、その第一の受信コマンド３０５ａは、遅延部３１６を経由して、コマンド判別部３１５に第二の受信コマンド３１２ａ、第一の受信コマンド３０５ａの順で受信コマンドが入力されるよう一定時間遅延される（ステップＳ４０２）。
【００６６】
そして、第一の受信コマンド３０５ａが遅延されている間に、第二の受信コマンド３１２ａが受信され（ステップＳ４０３）、コマンド判別部３１５に入力されると、コマンド判別部３１５は、第二の受信コマンド３１２ａをそのまま通過させ、第二の受信コマンド３１２ａを出力する（ステップＳ４０４）。そして、前記遅延部３１６を経由した第一の受信コマンド３０５ａがコマンド判別部３１５に入力されると、コマンド判別部３１５は該第一の受信コマンドをマスクする（ステップＳ４０５）。
【００６７】
一方、前記ステップＳ４０３において、例えば、ＤＶＤリモコン３０３の操作時に遮蔽体等の存在により、リモコン信号３０３Ａが映像音声受信装置１０２に受信されなかった場合には、ＤＶＤ装置３０１には第一の受信コマンド３０５ａのみの受信となり、コマンド判別部３１５は、遅延部３１６によって遅延されて入力された第一の受信コマンド３０５ａをそのまま通過させ、第一の受信コマンド３０５ａを出力する（ステップＳ４０６）。
【００６８】
さらに、前記ステップＳ４０１において、例えば、ＤＶＤリモコン３０３の操作時に遮蔽体等の存在により、リモコン信号３０３ＢがＤＶＤ装置３０１に受信されなかった場合には、ＤＶＤ装置３０１には第二の受信コマンド３１２ａのみの受信となり（ステップＳ４０７）、コマンド判別部３１５は入力した第二の受信コマンド３１２ａをそのまま通過させ、第二の受信コマンド３１２ａを出力する（ステップＳ４０８）。
【００６９】
以上のような本発明の実施の形態２に係る制御信号受信装置は、ＤＶＤ装置３０１に受信された第一の受信コマンド３０５ａを所定の時間遅延させる遅延部３１６を備え、コマンド判別部３１５は、第一の受信コマンド３０５ａと第二の受信コマンド３１２ａとが時間的に近接して入力された場合、第二の受信コマンド３１２ａをそのまま通過させるとともに、前記遅延部３１６により遅延されて入力される第一の受信コマンド３０５ａをマスクするようにしたので、機器の制御信号が伝送されるＣＥＣラインを経由する第二の受信コマンドをマスクしてしまうことによる機器への悪影響を生じることなく、正常なリモコン操作を行うことのできる制御信号受信装置を提供することができる。また、第二の受信コマンドが入力されないとき、第一の受信コマンドを有効とするようにしたので、ＤＶＤ装置３０１にのみにリモコン信号が受光された場合においても、制御信号受信装置であるＤＶＤ装置３０１を正常に動作させることができる。
【００７０】
（実施の形態３）
本発明の実施の形態３に係る制御信号受信装置は、実施の形態２に係る制御信号受信装置を用いたネットワークＡＶ伝送システムに対して、制御信号受信装置のみ使用する場合に、第一の受信コマンドを遅延させることなく出力させるために、制御信号受信装置とデータ受信装置との制御信号の伝送が可能である場合のみ、第一の受信コマンドを遅延させるようにしたものである。
【００７１】
以下、本発明の実施の形態３に係る制御信号受信装置を図７、及び図８を用いて説明する。実施の形態１、及び２と同様の部分は説明を省略し、異なる部分のみ説明を行う。
【００７２】
図７は本発明の実施の形態３に係る制御信号受信装置を用いたネットワークＡＶ伝送システム５００の構成を示す図である。
【００７３】
図において、ＤＶＤ装置５０１は、制御信号の映像音声受信装置１０２とＤＶＤ装置５０１との伝送が可能であることを示すＨＰＤ信号１０４ｂを検出するＨＰＤ検出部５１４と、第一の受信コマンド５０５ａを遅延させる遅延部５１６と、ＨＰＤ検出部５１４からの検出信号５１４ａの有無に応じて、第一の受信コマンド５０５ａを遅延部５１６で遅延させるか否かを切換える切換部５１７と、第一の受信コマンド５０５ａと第二の受信コマンド５１２ａとを入力し、有効とするコマンドを判別して選択的にコマンドを出力するコマンド判別部５１５とを有している。
【００７４】
コマンド判別部５１５は、ＨＰＤ検出部５１４でＨＰＤ１０４ｂが検出され、さらに第一の受信コマンド５０５ａと第二の受信コマンド５１２ａとが時間的に近接して入力されたとき、該コマンド判別部５１５に入力した第二の受信コマンド５１２ａをそのまま通過させるとともに、遅延部５１６により遅延されて該コマンド判別部５１５に入力される第一の受信コマンド５０５ａをマスクする。また、コマンド判別部５１５は、第二の受信コマンド５１２ａが入力されずに、遅延部５１６により遅延された第一の受信コマンド５０５ａが入力されたとき、該第一の受信コマンドをそのまま通過させる。
【００７５】
次に、本発明の実施の形態３に係る制御信号受信装置を用いたネットワークＡＶ伝送システム５００で行われるコマンド判別動作を図７、図８を用いて説明する。
【００７６】
図８は、本発明の実施の形態３に係る制御信号受信装置のコマンド判別動作を示すフローチャートである。
【００７７】
まず、ＤＶＤ装置５０１と映像音声受信装置１０２とを機械的に接続し、両装置の主電源をＯＮにすると、該両装置間での制御信号の伝送が可能になったことを示すＨＰＤ１０４ｂが出力され、該ＨＰＤ１０４ｂがＨＰＤ検出部５１４で検出される（ステップＳ６０１）。次に操作者がＤＶＤ装置５０１に付属するＤＶＤリモコン５０３を、例えば、映像音声受信装置１０２に向けてその電源ボタン５０３ａを押すと、リモコン信号５０３Ａが映像音声受信装置１０２に向けて発せられるとともに、上記リモコン信号５０３Ａは映像音声受信装置１０２の受光部１０７により受光され、その制御信号１０７ａはリモコンコマンド変換テーブル１０９、ＣＥＣコマンド多重／送信部１１０を経てＣＥＣライン１０４ａを介して該映像音声受信装置１０２より出力されて、これはＤＶＤ装置５０１に受信され、該ＤＶＤ装置５０１内のＣＥＣコマンド受信／分離部５１１、ＣＥＣコマンド変換テーブル５１２を経て、第二の受信コマンド５１２ａに変換されコマンド判別部５１５に入力される。ＤＶＤリモコン５０３においては、該リモコン信号には赤外線を用いているので、リモコン信号５０３Ａと同じコマンドのリモコン信号５０３ＢがＤＶＤ装置５０１に向けても発せられることとなる。すると、該リモコン信号５０３Ｂはまず、ＤＶＤ装置５０１の受光部５０５により受光され、その第一の受信コマンド５０５ａはコマンド判別部５１５に入力される。
【００７８】
前述したようにステップＳ６０１でＨＰＤ１０４ｂが検出されると、切換部５１７はＨＰＤ検出信号５１４ａ受けて、第一の受信コマンド５０５ａが遅延回路５１６を経由するようにスイッチを切換える（ステップＳ６０２）。そして、前述のように第一の受信コマンド５０５ａが受信されると（ステップＳ６０３）、第一の受信コマンド５０５ａは、遅延部５１６を経由し、コマンド判別部５１５に第二の受信コマンド５１２ａ、第一の受信コマンド５０５ａの順で受信コマンドが入力されるよう一定時間遅延される（ステップＳ６０４）。
【００７９】
そして、前述のように第二の受信コマンド５１２ａが受信され（ステップＳ６０５）、コマンド判別部５１５に入力されると、コマンド判別部５１５は、第二の受信コマンド５１２ａをそのまま通過させ、第二の受信コマンド５１２ａを出力する（ステップＳ６０６）。そして、前記遅延部５１６を経由した第一の受信コマンド５０５ａがコマンド判別部５１５に入力されると、コマンド判別部５１５は該第一の受信コマンドをマスクする（ステップＳ６０７）。
【００８０】
一方、前記ステップＳ６０５において、例えば、ＤＶＤリモコン５０３の操作時に遮蔽体等の存在により、リモコン信号５０３Ａが映像音声受信装置１０２に受信されなかった場合には、ＤＶＤ装置５０１には第一の受信コマンド５０５ａのみの受信となり、コマンド判別部５１５は遅延部５１６によって遅延されて入力された第一の受信コマンド５０５ａをそのまま通過させ、第一の受信コマンド５０５ａを出力する（ステップＳ６０８）。
【００８１】
さらに、前記ステップＳ６０３において、例えば、ＤＶＤリモコン５０３の操作時に遮蔽体等の存在により、リモコン信号５０３ＢがＤＶＤ装置３０１に受信されなかった場合には、ＤＶＤ装置５０１には第二の受信コマンド５１２ａのみの受信となり（ステップＳ６０９）、コマンド判別部５１５は入力した第二の受信コマンド５１２ａをそのまま通過させ、第二の受信コマンド５１２ａを出力する（ステップＳ６１０）。
【００８２】
なお、本実施の形態３では、ＤＶＤ装置５０１とＨＤＭＩインターフェースを有する映像音声受信装置１０２との使用を説明したが、前記ステップＳ６０１において、例えば、ＤＶＤ装置単体での使用やＤＶＤ装置５０１とＨＤＭＩインターフェースを有していない他のディスプレイ装置との使用等によりＨＰＤ検出信号５１４ａが検出されなかった場合には、第二の受信コマンド５１２ａはＤＶＤ装置５０１に受信されないので、第一の受信コマンド５０５ａを受信すると（ステップＳ６１１）、コマンド判別部５１５は入力した第一の受信コマンド５０５ａをそのまま通過させ、第一の受信コマンド５０５ａを出力する（ステップＳ６１２）。
【００８３】
また、遅延部５１６の遅延時間は、実施の形態２で示した図５と同様、第二の受信コマンド５１２ａが映像音声受信装置１０２からＣＥＣライン１０４ａを経由して、コマンド判別部５１５に入力される時間と、第一の受信コマンド５０５ａが遅延部５１６を介さずにコマンド判別部５１５に入力される時間との時間差以上で、かつ該第一の受信コマンド５０５ａが入力されてから次のコマンドが入力されるまでの最短時間以下であればよい。
【００８４】
以上のような本発明の実施の形態３に係る制御信号受信装置は、制御信号の映像音声受信装置１０２とＤＶＤ装置５０１との伝送が可能であることを示すＨＰＤを検出する、ＨＰＤ１０４ｂが検出されないときは、ＤＶＤリモコン５０３から直接受信した第一の受信コマンド５０５ａは有効コマンドとし、ＨＰＤが検出されたときは、第一の受信コマンド５０５ａが遅延部５１６を経由するように切換え、コマンド判別部５１５は、該コマンド判別部５１５に入力される第二の受信コマンド５１２ａをそのまま通過させ、遅延部５１６により遅延されて該コマンド判別部５１５に入力された第一の受信コマンド５０５ａをマスクするようにしたので、機器の制御信号を伝送するＣＥＣラインを経由する第二の受信コマンドをマスクしてしまうことによる機器への悪影響を生じることなく、正常なリモコン操作を行うことのできる制御信号受信装置を提供することができる。また、第二の受信コマンドが入力されないとき、第一の受信コマンドを有効とするようにしたので、ＤＶＤ装置５０１にのみにリモコン信号が受光された場合においても、制御信号受信装置であるＤＶＤ装置５０１を正常に動作させることができる。
【００８５】
さらに、映像音声受信装置１０２をＤＶＤ装置５０１に接続しておらず、該ＤＶＤ装置５０１に別途ディスプレイ等を接続している場合には、ＨＰＤ１０４ｂが検出されないが、遅延部５１６を介さずに第一の受信コマンドをコマンド判別部５１５に入力するようにしたので、このような場合には、ＤＶＤ装置５０１のみに対してリモコン操作を行うことにより、遅延なくリモコン操作を行うことができる。
【００８６】
（実施の形態４）
本発明の実施の形態４に係る制御信号受信装置は、時間的に近接して受信した第一の受信コマンド及び第二の受信コマンドがそれぞれ異なるコマンドの場合、第一の受信コマンドをマスクすることなく正しい順序でコマンドを出力させるために、第一及び第二の受信コマンドの一致／不一致を検出し、両方の受信コマンドが一致したときは、第二の受信コマンドを有効として、第一の受信コマンドをマスクするようにし、両方の受信コマンドが不一致のときは、両方の受信コマンドを有効として、第一の受信コマンドを先に出力し、続いて第二の受信コマンドを出力するようにしたものである。
【００８７】
以下、本発明の実施の形態４に係る制御信号受信装置を図９、及び図１０を用いて説明する。実施の形態１、２、及び３と同様の部分は説明を省略し、異なる部分のみ説明を行う。
【００８８】
図９は、本発明の実施の形態４に係る制御信号受信装置を用いたネットワークＡＶ伝送システム７００の構成を示す図である。
【００８９】
図において、ＤＶＤ装置７０１は、該ＤＶＤ装置７０１と映像音声受信装置１０２との制御信号の伝送が可能であるかを示すＨＰＤ１０４ｂを検出するＨＰＤ検出部７１４と、第一の受信コマンド７０５ａと第二の受信コマンド７１２ａとの一致／不一致を検出するコマンド比較部７１９と、コマンド比較部７１９の出力とＨＰＤ検出部７１４の出力７１４ａとの論理積をとるＡＮＤ回路７２０と、コマンド比較部７１９において、第一の受信コマンド７０５ａと第二の受信コマンド７１２ａとの入力タイミングを合わせるための第一の遅延部７１６と、第一の受信コマンド７０５ａの経路を切換える切換部７１７と、切換部７１７の一端から出力された第一の受信コマンド７０５ａを一定時間遅延させる第二の遅延部７１８と、コマンド比較部７１９で第一の受信コマンド７０５ａと第二の受信コマンド７１２ａとの一致が検出された場合、第二の受信コマンドを有効とするとともに、第一の受信コマンド７０５ａをマスクし、また、コマンド比較部７１９で第一の受信コマンド７０５ａと第二の受信コマンド７１２ａとが不一致となった場合、両方の受信コマンドを有効とし、第一の受信コマンド７０５ａを先に出力し、続いて、第二の受信コマンド７１２ａを出力するコマンド判別部７１５とを有する。
【００９０】
ＨＰＤ検出部７１４はＨＰＤ１０４ｂを検出した際、ＡＮＤ回路７２０に出力信号７１４ａとして、ＨＰＤの検出を示す“Ｈ”を出力する。コマンド比較部７１９は、時間的に近接して受信された第一の受信コマンド７０５ａと第二の受信コマンド７１２ａとを入力し、それらの入力コマンドが一致しているか否かを比較する。そして、コマンド比較部７１９で一致が検出されたとき、ＡＮＤ回路７２０に出力信号７１９ａとして、入力コマンドの一致を示す“Ｈ”を出力する。ＡＮＤ回路７２０では、コマンド比較部７１９及びＨＰＤ検出部７１４の“Ｈ”の出力を受けて、その出力信号７２０ａとして、切換部７１７とコマンド判別部７１５とに第一の受信コマンド７０５ａ及び第二の受信コマンド７１２ａの一致を示す“Ｈ”を出力する。切換部７１７は、ＡＮＤ回路７２０から“Ｈ”を入力すると第一の受信コマンド７０５ａが第二の遅延部７１８を経由するようにスイッチを切換える。コマンド判別部７１５は、ＡＮＤ回路７２０から“Ｈ”を入力すると、入力された第二の受信コマンド７１２ａを有効とし、第二の遅延部７１８により遅延されて該コマンド判別部７１５に入力された第一の受信コマンド７０５ａをマスクする。
【００９１】
また、コマンド比較部７１９で第一の受信コマンド７０５ａ及び第二の受信コマンド７１２ａの不一致が検出される場合、ＨＰＤ１０４ｂが検出されなかった場合、第一の受信コマンド７０５ａまたは第二の受信コマンド７１２ａのみの受信の場合のいずれにおいても、ＡＮＤ回路の出力７２０ａは“Ｌ”を示すことになり、切換部７１７は第一の受信コマンド７０５ａが第二の遅延部７１８を経由せずにコマンド判別部７１５に入力するように切換える。
【００９２】
コマンド判別部７１５は、ＡＮＤ回路７２０から“Ｌ”を入力すると、通常通り、入力した順序に従ってコマンドを出力し、また、第一の受信コマンドと第二の受信コマンドとが同時に入力された場合、すなわち、時間的に近接して受信された第一の受信コマンドと第二の受信コマンドとが不一致の場合は、両方の受信コマンドを有効とし、第一の受信コマンドから出力し、続いて、第二の受信コマンドを出力する。
【００９３】
次に、本発明の実施の形態４に係る制御信号受信装置を用いたネットワークＡＶ伝送システム７００で行われる受信コマンドの判別動作を図９、図１０を用いて説明する。
【００９４】
図１０は、本発明の実施の形態４に係る制御信号受信装置のコマンド判別動作を示すフローチャートである。
【００９５】
まず、ＤＶＤ装置７０１と映像音声受信装置１０２とを機械的に接続し、両装置の主電源をＯＮにすると、該両装置間での制御信号の伝送が可能になったことを示すＨＰＤ１０４ｂが出力され、該ＨＰＤ１０４ｂがＨＰＤ検出部７１４で検出される（ステップＳ８０１）。次に操作者がＤＶＤ装置７０１に付属するＤＶＤリモコン７０３を、映像音声受信装置１０２に向けてその電源ボタン７０３ａを押すと、リモコン信号７０３Ａが映像音声受信装置１０２に向けて発せられるとともに、上記リモコン信号７０３Ａは映像音声受信装置１０２の受光部１０７により受光され、その制御信号１０７ａはリモコンコマンド変換テーブル１０９、ＣＥＣコマンド多重／送信部１１０を経てＣＥＣライン１０４ａを介して該映像音声受信装置１０２より出力されて、これはＤＶＤ装置７０１に受信され、該ＤＶＤ装置７０１内のＣＥＣコマンド受信／分離部７１１、ＣＥＣコマンド変換テーブル７１２を経て、第二の受信コマンド７１２ａに変換されコマンド判別部７１５に入力される。ＤＶＤリモコン７０３においては、該リモコン信号には赤外線を用いているので、リモコン信号７０３ＢがＤＶＤ装置７０１に向けても発せられることとなる。すると、該リモコン信号７０３Ｂはまず、ＤＶＤ装置７０１の受光部７０５により受光され、その第一の受信コマンド７０５ａはコマンド判別部７１５に入力される。
【００９６】
前述したようにステップＳ８０１でＨＰＤが検出され、第一の受信コマンド７０５ａを受信し（ステップ８０２）、さらに、該第一の受信コマンド７０５ａと時間的に近接して第二の受信コマンド７１２ａを受信すると（ステップＳ８０３）、コマンド比較部７１９では、第一の受信コマンド７０５ａ及び第二の受信コマンド７１２ａを入力して、該両方の受信コマンドが一致しているか否かの比較を行う（ステップＳ８０４）。前記コマンド比較部７１９で一致が検出された場合、その出力信号７１９ａとして、一致を示す“Ｈ”がＡＮＤ回路７２０に出力される。ＡＮＤ回路７２０は該コマンド比較部７１９からの一致を示す“Ｈ”とＨＰＤ検出部からのＨＰＤの検出を示す“Ｈ”とを受けて切換部７１７とコマンド判別部７１５とに、その出力信号７２０ａとして“Ｈ”を出力する。そしてＡＮＤ回路７２０から“Ｈ”を受けた切換部７１７は第一の受信コマンド７０５ａが第二の遅延部７１８を経由するようにスイッチを切替え、第一の受信コマンド７０５ａを遅延させる（ステップＳ８０５）。そして、コマンド判別部７１５では、ＡＮＤ回路７２０からの“Ｈ”を受けて、入力した第二の受信コマンド７１２ａをそのまま通過させて、該第二の受信コマンド７１２ａを出力し（ステップＳ８０６）、第二の遅延部７１８によって遅延された第一の受信コマンド７０５ａを入力してマスクする（ステップＳ８０７）。
【００９７】
一方、前記ステップＳ８０４において、例えば、時間的に近接して受信された第一の受信コマンド７０５ａ及び第二の受信コマンド７１２ａがそれぞれ異なるコマンドの場合、コマンド比較部７１９ａで第一の受信コマンド７０５ａと第二の受信コマンド７１２ａとの不一致が検出され、ＡＮＤ回路７２０からの出力７２０ａが“Ｌ”となり、切換部７１７によって第一の受信コマンド７０５ａは第二の遅延部７１８を経由せずにコマンド判別部７１５に出力される。そして、コマンド判別部７１５には第一の受信コマンド７０５ａと第二の受信コマンド７１２ａとが同時に入力され、さらに、コマンド判別部７１５はＡＮＤ回路７２０からの“Ｌ”を受けると、該両方の受信コマンドを有効として、第一の受信コマンド７０５ａから出力し（ステップＳ８０８）、続いて第二の受信コマンド７１２ａを出力する（ステップＳ８０９）。
【００９８】
さらに、前記ステップＳ８０３において、例えば、ＤＶＤリモコン７０３の操作時に遮蔽体等の存在により、リモコン信号７０３Ａが映像音声受信装置１０２に受信されなかった場合には、ＤＶＤ装置７０１には第一の受信コマンド７０５ａのみの受信となり、コマンド判別部７１５は入力された第一の受信コマンド７０５ａをそのまま通過させ、第一の受信コマンド７０５ａを出力する（ステップＳ８１０）。
【００９９】
さらに、前記ステップＳ８０２において、例えば、ＤＶＤリモコン７０３の操作時に遮蔽体等の存在により、リモコン信号７０３ＢがＤＶＤ装置７０１に受信されなかった場合には、ＤＶＤ装置７０１には第二の受信コマンド７１２ａのみの受信となり（ステップＳ８１１）、コマンド判別部７１５は入力した第二の受信コマンド７１２ａをそのまま通過させ、第二の受信コマンド７１２ａを出力する（ステップＳ８１２）。
【０１００】
なお、本実施の形態４では、ＤＶＤ装置７０１とＨＤＭＩインターフェースを有する映像音声受信装置１０２との使用を説明したが、前記ステップＳ８０１において、例えば、ＤＶＤ装置単体での使用やＤＶＤ装置７０１とＨＤＭＩインターフェースを有していない他のディスプレイ装置との使用等によりＨＰＤ検出信号７１４ａが検出されなかった場合には、第二の受信コマンド７１２ａはＤＶＤ装置７０１に受信されないので、第一の受信コマンド７０５ａを受信すると（ステップＳ８１３）、コマンド判別部７１５は入力した第一の受信コマンド７０５ａをそのまま通過させ、第一の受信コマンド７０５ａを出力する（ステップＳ８１４）。
【０１０１】
以上のような本発明の実施の形態４に係る制御信号受信装置は、第一の受信コマンドと第二の受信コマンドとの一致／不一致を検出するコマンド比較部７１９を備え、両受信コマンドが一致したときは、第二の受信コマンドを有効として、第一の受信コマンドをマスクするようにし、両受信コマンドが不一致のときは、該両受信コマンドを有効とし、第一の受信コマンドを出力してから、続いて第二の受信コマンドを出力するようにしたので、時間的に近接して受信された第一の受信コマンドと第二の受信コマンドとが異なるコマンドの場合、第一の受信コマンドをマスクすることなく、受信した順序でリモコン操作によるコマンド出力を行うことができる。
【０１０２】
なお、本実施の形態４では、第一の受信コマンド７０５ａと第二の受信コマンド７１２ａとが一致したとき、第一の受信コマンド７０５ａを遅延させて第二の受信コマンド７１２ａを通過させるようにし、また、両方の受信コマンドが不一致のとき、コマンド判別部７１５が該両受信コマンドを同時に入力すると、第一の受信コマンド７０５ａから出力するようにしたが、例えば、コマンド判別部７１５に並べ替え機能を持たせ、両受信コマンドを該コマンド判別部７１５に入力し、両受信コマンドの一致／不一致の検出結果に応じて、該両受信コマンドの出力する順序を正しい順序に並べ替えてから、コマンドの出力またはマスクを行うようにしてもよい。
【０１０３】
また、実施の形態１〜４において、本発明の制御信号受信装置として、ＤＶＤ装置を例に説明したが、ＳＴＢ（Set  Top  Box）、プロジェクター等、映像、音声を出力し、ＨＤＭＩインターフェースを有する機器であれば、何でもよい。
【０１０４】
また、本発明の実施の形態１〜４に係る制御信号受信装置において、ＨＤＭＩインターフェース以外の有線、無線ＬＡＮ等を用いた場合においても、オプションエリア等を用いて他の制御信号を関連付けた場合、本発明は有効であり、この場合、ＨＰＤを検出する代わりに例えば、制御信号受信装置及びデータ受信装置の制御信号を伝送可能なことを示す検出信号等を検出するようにすればよい。
【産業上の利用可能性】
【０１０５】
本発明の制御信号受信装置は、デジタルオーディオ／ビデオインターフェースであるＨＤＭＩを介して接続構成されるネットワークＡＶ伝送システム等に有用である。
【図面の簡単な説明】
【０１０６】
【図１】図１は本発明の実施の形態１に係る制御信号受信装置を用いたネットワークＡＶ伝送システムを示す図。
【図２】図２は本発明の実施の形態１に係る制御信号受信装置のコマンド判別部における第一の受信コマンドのマスクの設定・解除を示すタイムチャート。
【図３】図３は本発明の実施の形態１に係る制御信号受信装置のコマンド判別動作を示すフローチャート。
【図４】図４は本発明の実施の形態２に係る制御信号受信装置を用いたネットワークＡＶ伝送システムを示す図。
【図５】図５は本発明の実施の形態２に係る制御信号受信装置のコマンド判別部における第一の受信コマンドのマスクの設定・解除を示すタイムチャート。
【図６】図６は本発明の実施の形態２に係る制御信号受信装置のコマンド判別動作を示すフローチャート。
【図７】図７は本発明の実施の形態３に係る制御信号受信装置を用いたネットワークＡＶ伝送システムを示す図。
【図８】図８は本発明の実施の形態３に係る制御信号受信装置のコマンド判別動作を示すフローチャート。
【図９】図９は本発明の実施の形態４に係る制御信号受信装置を用いたネットワークＡＶ伝送システムを示す図。
【図１０】図１０は本発明の実施の形態４に係る制御信号受信装置のコマンド判別動作を示すフローチャート。
【図１１】図１１は制御信号受信装置に対する制御信号を、データ受信装置を介して伝送可能なネットワークＡＶ伝送システムを示す概略図。
【符号の説明】
【０１０７】
１００、３００、５００、７００  ネットワークＡＶ伝送システム
１０１、３０１、５０１、７０１  ＤＶＤ装置（制御信号受信装置）
１０２  映像音声受信装置（データ受信装置）
１０３、３０３、５０３、７０３  ＤＶＤリモコン（遠隔制御ユニット）
１０３ａ、３０３ａ、５０３ａ、７０３ａ  電源ボタン
１０３Ａ、３０３Ａ、５０３Ａ、７０３Ａ  映像音声受信装置に対するリモコン信号
１０３Ｂ、３０３Ｂ、５０３Ｂ、７０３Ｂ  ＤＶＤ装置に対するリモコン信号
１０４  ＨＤＭＩインターフェース
１０４ａ  ＣＥＣライン
１０４ｂ  ＨＰＤ
１０５、３０５、５０５、７０５  ＤＶＤ受光部
１０５ａ、３０５ａ、５０５ａ、７０５ａ  第一の受信コマンド
１０６、３０６、５０６、７０６  ＤＶＤ装置用マイコン
１０７  映像音声受信装置受光部
１０７ａ  制御信号
１０８  映像音声受信装置用マイコン
１０９  リモコンコマンド変換テーブル
１１０  ＣＥＣコマンド多重／送信部
１１１、３１１、５１１、７１１  ＣＥＣコマンド受信／分離部
１１２、３１２、５１２、７１２  ＣＥＣコマンド変換テーブル
１１２ａ、３１２ａ、５１２ａ、７１２ａ  第二の受信コマンド
１１４、５１４、７１４  ＨＰＤ検出部
１１４ａ、５１４ａ  ＨＰＤ検出信号
１１５、３１５、５１５、７１５  コマンド判別部
３１６、５１６  遅延部
５１７、７１７  切換部
７１４ａ  ＨＰＤ検出部の出力信号
７１６  第一の遅延部
７１８  第二の遅延部
７１９  コマンド比較部
７１９ａ  コマンド比較部の出力信号
７２０  ＡＮＤ回路
７２０ａ  ＡＮＤ回路の出力信号
１０  ネットワークＡＶシステム
１１  ＤＶＤ装置
１２  映像音声受信装置
１３  ＨＤＭＩインターフェース
１３ａ  ＣＥＣライン
１４  リモコン
１５、２０  リモコン受光部
１６  リモコンコマンド変換テーブル
１７  ＣＥＣコマンド多重／送信部
１８  ＣＥＣコマンド受信／分離部
１８ａ  第二の受信コマンド
１９  ＣＥＣコマンド変換テーブル
２０ａ  第一の受信コマンド
【図１】
0004463767.tif 000002
【図２】
0004463767.tif 000003
【図３】
0004463767.tif 000004
【図４】
0004463767.tif 000005
【図５】
0004463767.tif 000006
【図６】
0004463767.tif 000007
【図７】
0004463767.tif 000008
【図８】
0004463767.tif 000009
【図９】
0004463767.tif 000010
【図１０】
0004463767.tif 000011
【図１１】
0004463767.tif 000012